(57)【特許請求の範囲】
【請求項１】
側面に係止突起を設けたカメラモジュールを収容可能なモジュール収容空間を有し、一面が開口する枡形状のソケットハウジングと、
前記ソケットハウジングに支持され、一端が前記モジュール収容空間内に位置する前記カメラモジュールと電気的に接続し、他端が前記ハウジングの外部に突出し他の物体と電気的に接続するための接続部となる複数のコンタクトと、
前記ソケットハウジングの側壁外面に係止固定されるためのハウジング固定部と、前記モジュール収容空間内に延設され前記ソケットハウジングの開口の底部側の縁に自由端を形成する係止部と、前記係止部における前記底部側の縁とは反対側から延出して前記ハウジング固定部に連結し前記ハウジング固定部と前記係止部とともにコ字空間を形成する連結部と、を有し、ばね力を有する金属板で形成されるモジュール固定部材と、
を備え、
前記連結部は、前記ソケットハウジングの開口から底部に向かう挿入方向に前記係止突起が挿通可能に切欠して挿通孔を形成し、
前記係止部は、前記連結部側に、前記ハウジング固定部に近づくよう曲がって前記コ字空間内に位置し、前記挿入方向に向けて前記挿通孔に挿入された前記係止突起をガイドするガイド部を有し、
前記係止部は、前記自由端側に、前記ハウジング固定部から離れる側へ折曲した形状をなし、当該自由端を乗り越えて前記ソケットハウジングの開口の底部側に位置する前記係止突起を係止する押さえ部を有する
ことを特徴とするカメラモジュールソケット。
【発明の詳細な説明】
【技術分野】
【０００１】
この発明は、電子機器に用いるカメラモジュールを電子機器に取り付ける際に、プリント回路基板に予め実装して用い、カメラモジュールとプリント回路基板とを接続させるカメラモジュールソケットに関する。
【背景技術】
【０００２】
撮像素子を内蔵するカメラモジュールは、携帯電話等の電子機器が小型化するにつれ、カメラモジュールも小型化が要求されている。当然、カメラモジュールも高い撮像機能を有しながら小型のものが開発されている。
しかしながらカメラモジュールは、高機能化を実現するために体積を少しでも多くとってマクロ機能等の機能を備えるようにしなければならない。
そこで、カメラモジュールを電子機器等に取り付けるためカメラモジュールソケットの開発には、該ソケットの体積を少しでも小さくすることが望まれていた。
【０００３】
従来のカメラモジュールソケットには、電子機器等の電子回路基板の実装面に当接させて取り付ける表面実装タイプのものと、電子機器等の電子回路基板の実装面にカメラモジュールソケットを挿通させるために開口したスルーホールに、カメラモジュールソケットを挿通して該ソケット周囲部を該電子回路基板に固定して取り付けるスルーホール取付タイプのものがある。そして、何れのタイプのカメラモジュールソケットでも、カメラモジュールを取付けた際に、カメラモジュールソケットの内部底面に設けたばね力を有するコンタクトをカメラモジュール底面に設けたある接点とを押圧接触させた状態を維持するために、カメラモジュールをカメラモジュールソケットに固定するための係止手段を有している。
例えば、従来のカメラモジュールとカメラモジュールソケットとの固定は、特開平２００６−０６７４４５に表すように行われていた。
以下に特開平２００６-０６７４４５を従来例１として説明する。
図８は、従来のカメラモジュールソケット１１２およびカメラモジュール１１１を斜め上方から視た状態の斜視説明図である。
【０００４】
カメラモジュール１１１は、略立方体形状を成し内部に受光素子等を内蔵するモジュール本体１１３と、モジュール本体１１３上面側に設け受光素子に光を結像させ撮像させるように撮像光を取り入れるためのレンズ部１１４とからなる。そして、モジュール本体１１３のレンズ部１１４とは反対側となる底面周囲部には電気信号である情報の送受信が可能なように複数の当接パッド１２１を設ける。従って当接パッド１２１は電気的に導通状態とすることができる電気接点として設けてある。
また、モジュール本体１１３の対向する１対の側面は、レンズ部１１４側から底面側に向かって中央部が突出するように両側に切欠部１１５を設け、且つ、切欠部１１５のレンズ部１１４側には、側面から更に突出するように突起部１２０を突設してなる。突起部１２０を突設はカメラモジュールソケット１１２と係止させるための係止突起である。
【０００５】
カメラモジュールソケット１１２は、上面を開口した升形状をなす中空なコネクタ本体１２２を備える。そしてコネクタ本体１２２底面の四方の端部には、コンタクトピン１２４が複数配設されてなる。このコンタクトピン１２４は、その一端がカメラモジュールソケット１１２に挿入して係止固定されるカメラモジュール１１１の当接パッド１２１とそれぞれ当接接続可能なように配設されており、コンタクトピン１２４が位置するコネクタ本体１２２底面の四方の端部に穿設された孔から他端がコネクタ本体１２２外部へ突出されている。
更に、コネクタ本体１２２の側面外周を被覆するように、金属薄板からなり略四角筒形状を成すシールドケース１２７を設けてあり、シールドケース１２７はばね力を有しておりコネクタ本体１２２と一体となるように形成される。
【０００６】
シールドケース１２７は、モジュール１１１のそれぞれ突起部１２０，１２０が設けられている側面と対抗する側面１２７ａ，１２７ｂの上端には、更に上方に向かって突出するようにバネフック１１８を設ける。このバネフック１１８中央にはモジュール本体１１３の係止突起１２０と係止される係止孔１１７が穿設されている。そしてバネフック１１８は、ばね力を有しておりこのばね力に反するように外側に力が加えられると、両バネフック１１８相互が開く方向へ移動される。
【０００７】
そして、このように形成するカメラモジュールソケット１１２は、上面側の開口からカメラモジュール１１１が挿入されると、係止突起１２０がバネフック１１８を外側へ押しやり、更に挿入が進むことで係止突起１２０がバネフック１１８の係止孔１１７に入り込む。そしてバネフック１１８は係止孔１１７に係止突起１２０が入り込むことで付勢力により元の位置へと戻り、係止突起１２０とバネフック１１８とが係止する。
この時、カメラモジュール１１１の当接パッド１２１とコンタクトピン１２４とは当接した状態となり、電気的に接続された状態となる。
【０００８】
また、従来例１には、更に従来例として、図９に表すようなカメラモジュールソケットの記載がある。
以下に従来例２として説明する。
従来例２は、図９に表すようにカメラモジュール２０１と、カメラモジュール２０１を挿入固定するモジュールコネクタ２０２とからなる。
モジュール２０１は、携帯電話等に実装するカメラモジュールである。該モジュール２０１は、略四角形状に形成されたモジュール本体２０３と、該モジュール本体２０３の上部に設けられたレンズ部２０４とで構成されている。又、モジュール本体２０３の側面には、モジュール本体２０３のレンズ部２０４側となる上面から中央やや下側までを切欠した係合部２０７が設けられている。更に、モジュール本体２０３の底面には、基板２０５が接着剤２０６で取り付けられ、該基板２０５の側面に接触子となる複数の接触パッド（図示せず）がそれぞれ鉛直方向に形成されている。
【０００９】
モジュールコネクタ２０２は、一端が開放された升形状を成すコネクタ本体２１０を備え、カメラモジュール２０１を開放端から挿入可能である。また、コネクタ本体２１０の中空部２０９には、その内面に基板２０５の接触パッドと電気的に接続可能な接触子片（図示せず）を設けてある。
また、コネクタ本体２１０の外側には、従来例１同様にシールドケース２１１が設けられ、コネクタ本体２１０と一体化されている。このシールドケース２１１は、一端が自由端２０８ａ側としてモジュールコネクタ２０２の開放上面側から中空部２０９内部へ湾曲して入り込み、モジュール２０１の係合部２０７に対応する部位がばね力を有するバネフック２０８として形成される。従ってバネフック２０８は、シールドケース１２７の一端の他の部位からコネクタ本体２１０の上面までが切欠されて切片状に設けられている。更にバネフック２０８は、中空部２０９内に延ばされた自由先端側はコネクタ本体２１０の底部２０２ａに近づくに従って徐々に中空部２０９の中心に近づくように傾斜した状態にして、中心側に向かって突出されている。
従って、そのバネフック２０８の各自由先端２０８ａは、中空部２０９内にモジュール２０１が所定の位置まで挿入されると、基板２０５の上面に係合されて、モジュール２０１がモジュールコネクタ２０２から離脱しないように出来る。
【００１０】
上記のように形成する従来例２は、モジュール２０１をモジュールコネクタ２０２の上面開口から挿入して取付ける。即ち、モジュール２０１をコネクタ２０２の上側から中空部２０９内に落とし込むようにして組み込むと、その途中では基板２０５の下面がバネフック２０８に当接する。しかしながら、そのままモジュール２０１を押し込むと、バネフック２０８は弾性変形を伴って外側に逃がされ、モジュール２０１の押し込みが可能となる。更にモジュール２０１の挿入を進めると、基板２０５の下面が中空部２０９内の底部２０２ａに当接し、接触パッドと接触子片とが接触（当接）された状態となる。この時、バネフック２０８が切欠された係合部２０７に達しているので、バネフック２０８は自身のばね力によって係合部２０７内に入り込み、バネフック２０８の先端２０８ａが係合部２０７の係止面２０７ａに係合する。この係合が複数のバネフック２０８によって行われ、コネクタ２０２に対してのモジュール２０１が係止固定される。
【特許文献１】特開平２００６-０６７４４５  公報
【発明の開示】
【発明が解決しようとする課題】
【００１１】
上記従来例１では、カメラモジュール１１１を挿入した際に、カメラモジュール１１１と係止させるのがカメラモジュールソケット１１２の側面から上方に突設させたバネフック１１８をモジュール本体１１３の突起部１２０と係止させているので、カメラモジュールソケット１１２の全体形状が大きくなるという問題点を有した。
また、従来例１では、カメラモジュール１１１とカメラモジュールソケット１１２との係止に際し、突起部１２０およびバネフック１１８によってその係止機構を形成するが、有効な係止状態を維持させるため突起部１２０を設けたカメラモジュール１１１の側面１２７ａ、１２７ｂ部分を上下方向へ突出した凸状に形成しており、凸状の両端部分が凹む関係から、カメラモジュールソケット１１２外形に対して少しでも体積を稼ぎたいカメラモジュール１１１の体積が減少してしまい、カメラモジュール１１１内部の体積を増やすことが出来ないという問題点を有した。
【００１２】
更に、バネフック１１８に外側へ移動されても位置復元可能な付勢力を持たせるためには、バネフック１１８を設けているシールドケース１２７を強固にコネクタ本体１２２に係止しているばかりではなく、ケース側面外側方向への負荷に対して偏位あるいは変形しないようにシールドケース１２７を四角形筒状に形成しなければ該強度を得ることが出来ないので、製造に際し制限があるばかりでなく、製造コストが増してしまうという問題点を有した。
従って、従来例１では、カメラモジュールソケット１１２にカメラモジュール１１１を装着した全体積に比し、カメラモジュール１１１の内部にカメラモジュール１１１を構成するための実装体積が少なくなってしまうという問題点を有した。
【００１３】
従来例２では、カメラモジュール２０１とモジュールコネクタ２０２との係止を行うためには、カメラモジュール２０１をモジュールコネクタ２０２に挿入する際に、モジュールコネクタ２０２に設けるバネフック２０８がカメラモジュール２０１の係合部２０７内に入り込めるようにするために、カメラモジュール２０１に係合部２０７を上方から略中央部まで連続して凹状に形成する必要があるため、従来例１同様にモジュールコネクタ２０２の外形に対し、挿入するカメラモジュール２０１に係合部２０７の空間が生じてしまうためカメラモジュール２０１の体積を有効に利用できないという問題点を有した。
また、従来例２において、カメラモジュール２０１をモジュールコネクタ２０２に挿入する際にはバネフック２０８がばね力に抗してモジュールコネクタ２０２内側面側へ変形され、カメラモジュール２０１が挿入してゆくこととなるので、カメラモジュール２０１内側面とモジュールコネクタ２０２側面との間にバネフック２０８が変形できる領域を予め設けて設計しなければならない。従って、モジュールコネクタ２０２とカメラモジュール２０１とを係止させた際の全体積に対して利用できない体積が大きくなり、カメラモジュール２０１に利用できる体積が該全体積に対して小さくなってしまうという問題点を有した。言い換えれば、カメラモジュール２０１を構成するのに必要な体積を確保する際には、モジュールコネクタ２０２との係止に必要な余分なスペースを多く必要としてしまうという問題点を有した。
【００１４】
そこでこの発明は上記問題点に鑑み、カメラモジュールソケットとカメラモジュールとの係止に際し、係止に必要な余分な体積をより小さくすることが出来るカメラモジュールソケットの提供を課題とする。
【課題を解決するための手段】
【００１５】
本発明のカメラモジュールソケットは、（ｉ）側面に係止突起を設けたカメラモジュールを収容可能なモジュール収容空間を有し、一面が開口する枡形状のソケットハウジングと、（ｉｉ）前記ソケットハウジングに支持され、一端が前記モジュール収容空間内に位置する前記カメラモジュールと電気的に接続し、他端が前記ハウジングの外部に突出し他の物体と電気的に接続するための接続部となる複数のコンタクトと、（ｉｉｉ）前記ソケットハウジングの側壁外面に係止固定されるためのハウジング固定部と、前記モジュール収容空間内に延設され前記ソケットハウジングの開口の底部側の縁に自由端を形成する係止部と、前記係止部における前記底部側の縁とは反対側から延出して前記ハウジング固定部に連結し前記ハウジング固定部と前記係止部とともにコ字空間を形成する連結部と、を有し、ばね力を有する金属板で形成されるモジュール固定部材と、を備え、（ａ）前記連結部は、前記ソケットハウジングの開口から底部に向かう挿入方向に前記係止突起が挿通可能に切欠して挿通孔を形成し、（ｂ）前記係止部は、前記連結部側に、前記ハウジング固定部に近づくよう曲がって前記コ字空間内に位置し、前記挿入方向に向けて前記挿通孔に挿入された前記係止突起をガイドするガイド部を有し、（ｃ）前記係止部は、前記自由端側に、前記ハウジング固定部から離れる側へ折曲した形状をなし、当該自由端を乗り越えて前記ソケットハウジングの開口の底部側に位置する前記係止突起を係止する押さえ部を有する。
【発明の効果】
【００１９】
従ってこの発明によれば、カメラモジュールがカメラモジュールソケット内への挿入開始時に、カメラモジュールの係止突起が、当初モジュール固定手段を押圧して変位させることなく挿通孔内を移動し、所定量内部へ進入したところで係止突起が連結部の先端側に設けた係止部のガイド部への押圧を開始するので、係止突起がモジュール固定手段を変位させるために必要な係止部とモジュールソケット側面との間隙を少なくすることが可能となる。
これにより、カメラモジュールソケットにカメラモジュールを着装した際にカメラモジュールとカメラモジュールソケット側面との間隙が少なくなるので、カメラモジュールをカメラモジュールソケットへ装着した状態のカメラモジュールユニットの全体積を従来に比し少なくすることが可能となる。言い換えれば、カメラモジュールユニットの全体積に対するカメラモジュールの体積を従来よりも多くとることが可能となり、カメラモジュールの設計自由度を増大することが可能となる。
【発明を実施するための最良の形態】
【００２０】
カメラモジュールソケット１（以下、単にソケット１という）は、電子機器Ｅに内蔵させる小型のカメラモジュールＣＭを嵌合される。ソケット１は、一方を上部開口１１ａとして開口した矩形の箱形状を成すソケットハウジング１１と、ソケットハウジング１１に取付けられるモジュールコンタクト１２と、導電部材である金属板を凹状筐体形状に形成しソケットハウジング１１の底部外方からソケットハウジング１１に嵌合させるシールド部材１３と、ソケットハウジング１１の筐体側壁１１ｂに嵌合係止されてカメラモジュールＣＭと接触してカメラモジュールＣＭのアースをとるモジュール固定部材１４とからなる。
【００２１】
ソケットハウジング１１は、ソケットハウジング１１の底面四方から上面開口１１ａへ立設された筐体側壁１１ｂとによって上面を開口した筐体形状を成しており、高分子樹脂などの絶縁部材から形成する。
【００２２】
モジュールコンタクト１２は、ばね力を有する良導体の金属板を折曲して形成する。そしてモジュールコンタクト１２は、一端がソケットハウジング１１の底面から上部開口１１ａ側へ折曲させて起立されたモジュール接触部１２ａを形成し、中間部１２ｂがソケットハウジング１１に固定される。また、モジュールコンタクト１２の他端は、ソケットハウジング１１の筐体側壁１１ｂ側部から外方へ突設されて電子回路基板ＰＷＢと半田等によって接続固定する基板接続部１２ｃを形成する。このように形成するモジュールコンタクト１２は、ソケットハウジング１１の底面に複数並設される。この時並設されるのは、対向する一対の筐体側壁１１ｂから基板接続部１２ｃが突出して設けられるように、底面に２列に並設される。そして、モジュールコンタクト１２は、カメラモジュールＣＭがソケットハウジング１１に挿入されると、カメラモジュールＣＭの底部でモジュール接触部１２ａと対向する位置に設けられている接触部と接触される。従って、ソケットハウジング１１の底面側側面には、モジュールコンタクト１２をハウジング外部へ突出させるための複数の貫通孔が設けられている。
【００２３】
シールド部材１３はソケットハウジング１１の外側底部からソケットハウジング１１にはめ込める凹状の筐体形状を成し、良導体である金属部材を折曲して形成している。そして、ソケットハウジング１１への嵌合は、折曲した金属部材の有するばね力によって嵌合状態を維持する。シールド部材１３は、ソケットハウジング１１嵌合時、ソケットハウジング１１の底面側から筐体側壁１１ｂの約１／３程度までの高さを有して形成する。この時の約１／３程度の位置は、モジュールコンタクト１２の基板接続部１２ｃがソケットハウジング１１外方へ突出される位置よりやや底面側の高さとなる。また、シールド部材１３は、凹状の開口周囲部を鍔状に外方へ折曲させて鍔状のアース端子部１３ａを形成する。このアース端子部１３ａは、凹状の開口先端側から更に延設してコンタクト１２の基板接続部１２ｃが突出されている高さ位置で折曲して形成する。また、シールド部材１３には、ケースシールド部１３ｂを設ける。ケースシールド部１３ｂは、ソケットハウジング１１取付け時にソケットハウジング１１の底面を覆うシールド部材底面部１３ｃから外方へ切り起こして形成しばね力を持たせる。この切り起こしたケースシールド部１３ｂは、「へ」字状に折曲させて「へ」字状の角部が接触部１３ｅを形成する。接触部１３ｅは、ソケット１をスルーホールＴＨに固定した電子回路基板ＰＷＢを電子機器Ｅへ取付固定した時に、電子機器内面に設けたアース端子ＧＮＤとばね力を持って接触することで、ソケット１を電子機器と直にアース接続させる。
【００２４】
モジュール固定部材１４は、ソケットハウジング１１の筐体側壁１１ｂに嵌合係止される。このモジュール固定部材１４は、カメラモジュールＣＭと接触することでアースを形成できるように良導体の金属部材からなる。そして、モジュール固定部材１４は、ソケットハウジング１１外面に係止固定されるハウジング固定部１４ｄを形成し、ソケットハウジング１１に係止可能に形成する。すなわち、ハウジング固定部１４ｄには、ハウジングソケット１１の上面側中央に、ソケットハウジング１１を挟み付けて固定可能な固定片１４ｅを、ソケットハウジング１１内側面に沿って筐体側壁１１ｂ側へ折り返して設ける。また固定片１４ｅの両側には、ソケットハウジング１１の上面開口１１ａから折曲あるいは湾曲させて係止部１４ｂを連結する連結部１４ｆを形成する。そして、連結部１４ｆと連結される係止部１４ｂは、収容されたカメラモジュールＣＭに設ける係止突起ＣＭ１と対向するようモジュール空間１１ｄ内に延設され自由端として形成する。
モジュール固定手段であるモジュール固定部材１４の係止部１４ｂは、バネ力を有しており押圧されることで筐体側壁１１ｂ側へ変位可能であるとともに押圧力が解除されることでもとの位置へ復帰可能である。
【００２５】
連結部１４ｆは、係止部１４ｂの両端に連結されており、係止部１４ｂの両端とハウジング固定部１４ｄの上部開口１１ａ側とを一体的に形成する。この両端の連結部１４ｆ間が挿通孔１４ｇを形成する。
係止部１４ｂは、上部開口１１ａ側となる挿通孔１４ｇ側が筐体側壁１１ｂ側に傾斜させて上方へ傾けて延設しガイド部１４ｃを形成する。また係止部１４ｂのガイド部１４ｃとは反対の端部は筐体側壁１１ｂと反対側へ傾斜するように折曲させて押さえ部１４ｈを形成する。押さえ部１４ｈは、カメラモジュールＣＭに設ける係止突起ＣＭ１の上縁と係止可能である。
【実施例１】
【００２６】
以下にこの発明の実施例を図面に基づき説明する。図１はこの発明の実施例の全体を表す図であり(ａ)はこの発明の実施例の全体を表す斜視組み立て説明図、(ｂ)はこの発明の実施例の全体を表す斜視説明図であり、図２は同実施例を表す正面説明図であり、図３は同実施例を表す右側面説明図であり、図４は同実施例を表す平面説明図であり、図５は図４の中央部を縦方向に切断した状態を表す縦断面説明図であり、図６は図４の中央部を横方向に切断した状態を表す縦断面説明図であり、図７は図５の一部を拡大した説明図である。
【００２７】
１は、カメラモジュールソケットである。カメラモジュールソケット１（以下、単にソケット１という。）は、上部を開口した筐体形状を成し、開口からカメラモジュールＣＭを挿入されて内部で固定した状態で電子回路基板ＰＷＢへ取付ける。そして、ソケット１は、この電子回路基板ＰＷＢへの取付を、電子回路基板ＰＷＢに穿設したスルーホールＴＨへ挿通させ、ソケット１の側部中央をスルーホールＴＨ周囲部に設けたアース端子ＧＮＤや取付接点部ＰＷＢ１と半田付け等によって接続固定して用いるものである。
ソケット１は、ソケットハウジング１１によって筐体形状を形成する。ソケットハウジング１１は、高分子樹脂等の硬質な絶縁材から形成し、上部を上部開口１１ａとして開口し底部四方から上部開口１１ａへかけて立設した筐体側壁１１ｂによって上部を開口した凹状の筐体形状をなす。そして、対向する１対の筐体側壁１１ｂには、底部から１／３程度の位置にコンタクト取付孔１１ｃを１列に穿設する。
【００２８】
１２は、モジュールコンタクト１２である。モジュールコンタクト１２は、良導体の金属板を折曲して形成する。そして、モジュールコンタクト１２は、一端がソケットハウジング１１の内部底面に位置され、中間部が筐体側壁１１ｂに穿設されたコンタクト取付孔１１ｃを挿通されて他端がハウジング外部へ位置するように取付けられる。このように取付けられるモジュールコンタクト１２は、中間部１２ｂがコンタクト取付孔１１ｃ位置で下方が開放したＵ字状に折曲されて該取付孔１１ｃに係止可能に形成する。そして、中間部１２ｂからソケットハウジング１１の底面側に折曲された一端は、ソケットハウジング１１の底面から上部開口１１側へ折曲させて起立されてモジュール接触部１２ａを形成する。また、モジュールコンタクト１２の他端は、ソケットハウジング１１の筐体側壁１１ｂ側部から外方へ突設されて電子回路基板ＰＷＢと半田等によって接続固定する基板接続部１２ｃを形成する。このように形成するモジュールコンタクト１２は、ソケットハウジング１１の底面に２列に複数並設されることとなる。即ち、ソケットハウジング１１の対向する一対の筐体側壁１１ｂから基板接続部１２ｃが突出して設けられ、ソケットハウジング１１内部では、底面にモジュール接触部１２ａが対向されて設けられることとなる。そして、モジュールコンタクト１２は、カメラモジュールＣＭがソケットハウジング１１に挿入された際に、カメラモジュールＣＭの底部にモジュール接触部１２ａと対向する位置に設けられている信号授受可能な接触端子部と接触される。
【００２９】
１３はシールド部材である。シールド部材１３は、良導体の金属板を折曲して凹状の筐体形状に形成する。シールド部材１３の凹部は、ソケットハウジング１１の底面側に嵌合可能に凹状の内面形状がソケットハウジング１１の底部外形形状と略同じとなるように形成する。この時、凹状の開口を形成している側面は、内側へのばね力を有するように折曲して形成されており、ソケットハウジング１１への嵌合は、折曲した金属部材の有するばね力によって嵌合状態を維持する。そして、シールド部材１３の凹部高さは、ソケットハウジング１１嵌合時、ソケットハウジング１１の底面側から筐体側壁１１ｂの約１／３程度となるように形成する。この時の凹状の開口先端位置は、モジュールコンタクト１２の基板接続部１２ｃがソケットハウジング１１外方へ突出される位置より下方となっている。
【００３０】
また、シールド部材１３は、凹状の開口先端周囲部を鍔状に外方へ折曲させて鍔状のアース端子部１３ａを形成する。この鍔状に折曲されるアース端子部１３ａは、凹状の開口先端から更に延設してモジュールコンタクト１２の基板接続部１２ｃと同レベルで折曲して設け、他の１対の筐体側壁１１ｂでは筐体側壁１１ｂの中央部分となる筐体側壁１１ｂの幅の約１／３程度の幅を持って折曲させて形成する。また、アース端子部１３ａを設けていないシールド部材１３の１対の側壁には、モジュールコンタクト１２の基板接続部１２ｃよりソケットハウジング１１の底面側で鍔状に折曲させたフランジ部１３ｄを形成する。このフランジ部１３ｄは、モジュールコンタクト１２の基板接続部１２ｃに覆い被さるように形成させることで、モジュールコンタクト１２が他の部分と接触してショートすることを防止すると共に、モジュールコンタクト１２のシールド効果も期待できる。
【００３１】
更にシールド部材１３には、ケースシールド部１３ｂを設ける。ケースシールド部１３ｂは、ソケットハウジング１１取付け時にソケットハウジング１１の底面を覆うシールド部材底面部１３ｃから外方へ切り起こして形成しばね力を持たせる。この切り起こしたケースシールド部１３ｂは、「へ」字状に折曲させて「へ」字状の角部が接触部１３ｅを形成する。接触部１３ｅは、ソケット１をスルーホールＴＨに固定した電子回路基板ＰＷＢを電子機器Ｅへ取付固定した時に、電子機器内面に設けたアース端子ＧＮＤとばね力を持って接触することで、ソケット１を電子機器と直にアース接続させる。接触部１３ｅを設ける底面での位置は特に指定されないが、この実施例では、コンタクト取付孔１１ｃを穿設していない筐体側壁１１ｂ側の底面に２箇所ずつ切り起こして設けている。
【００３２】
１４は、モジュール固定部材である。モジュール固定部材１４は、良導体の金属板からなり、ソケットハウジング１１の側面を形成可能な板状のハウジング固定部１４ｄを形成するとともにハウジング固定部１４ｄの上面側中央部から延設させた板状片をＵ字状に折曲して固定片１４ｅを形成し、Ｕ字状の開口をソケットハウジング１１の筐体側壁１１ｂの上部開口１１ａ側から差し入れ筐体側壁１１ｂと嵌合係止させる。また、ハウジング固定部１４ｄの側縁には、隣り合うモジュール固定部材１４と係止可能な側縁係止部１４ｉを設け、隣り合うモジュール固定部材１４相互が係止可能に形成する。
また固定片１４ｅの両側には、ソケットハウジング１１の上面開口１１ａから折曲あるいは湾曲させて係止部１４ｂを連結する連結部１４ｆを形成する。そして、連結部１４ｆと連結される係止部１４ｂは、収容されたカメラモジュールＣＭに設ける係止突起ＣＭ１と対向するようモジュール空間１１ｄ内に延設され自由端として形成する。
【００３３】
モジュール固定手段であるモジュール固定部材１４の係止部１４ｂは、バネ力を有しており押圧されることで筐体側壁１１ｂ側へ変位可能であるとともに押圧力が解除されることでもとの位置へ復帰可能である。
連結部１４ｆは、係止部１４ｂの両端に連結されており、係止部１４ｂの両端とハウジング固定部１４ｄの上部開口１１ａ側とを一体的に形成する。この両端の連結部１４ｆ間が挿通孔１４ｇを形成する。この挿通孔１４ｇは、ソケット１にカメラモジュールＣＭが挿入される際に係止突起ＣＭ１と対向する位置となるように設けられている。
係止部１４ｂは、上部開口１１ａ側となる挿通孔１４ｇ側が筐体側壁１１ｂ側に傾斜させて上方へ傾けて延設しガイド部１４ｃを形成する。また係止部１４ｂのガイド部１４ｃとは反対の端部は筐体側壁１１ｂと反対側へ傾斜するように折曲させて押さえ部１４ｈを形成する。押さえ部１４ｈは、カメラモジュールＣＭに設ける係止突起ＣＭ１の上縁と係止可能である。上記モジュール固定部材１４は、一枚の金属板から型抜き折曲加工を施して一体的に形成する。
【００３４】
このように形成するモジュール固定部材１４は、上部開口１１ａ側からカメラモジュールＣＭが挿入されると、係止突起ＣＭ１は対向位置している挿通孔１４ｇに入り込むので、連結部１４ｆに邪魔されることなくモジュール空間１１ｄ内に入り込めることとなる。そして、更に挿入が進むと、係止突起ＣＭ１はやがてガイド部１４ｃに当接する。すると、係止突起ＣＭ１はガイド部１４ｃを筐体側壁１１ｂ側へ押圧しつつガイド部１４ｃにガイドされて更にモジュール空間１１ｄ内への進入を進める。
更にカメラモジュールＣＭが挿入されると、係止突起ＣＭ１はやがて係止部１４ｂの押さえ部１４ｈを乗り越えてモジュール空間１１ｄの奥部側へ移動するので、係止部１４ｂは連結部１４ｆおよび係止部１４ｂのバネ力により、変位されていた筐体側壁１１ｂから再びモジュール空間１１ｄ中央側へと移動して元の位置へ戻り、係止突起ＣＭ１の上縁に乗りあげる。これにより、カメラモジュールＣＭはモジュール空間１１ｄから離脱できないようソケット１へ固定されることとなる。
【００３５】
更にモジュール固定部材１４には、取付けられている筐体側壁１１ｂの外側面を外方へ折曲してシールド部１４ａを形成する。シールド部１４ａは、モジュールコンタクト１２が取付けられている１対の筐体側壁１１ｂでは、並設されたコンタクト１２の基板接続部１２ｃの外側に、基板接続部１２ｃと同様に外方へ突出した状態で形成する。このシールド部１４ａは、モジュールコンタクト１２の基板接続部１２ｃ同様に電子回路基板ＰＷＢと半田付け等によって固定される。
また、モジュールコンタクト１２が取付けられていない１対の筐体側壁１１ｂに取付けるモジュール固定部材１４には、筐体側壁１１ｂの外側に位置する面に、やはり鍔状に外方へ折曲させたシールド部１４ａを形成する。ジュールコンタクト１２を取付けていない筐体側壁１１ｂに取付けられるモジュール固定部材１４では、同筐体側壁１１ｂに位置しているシールド部材１３のアース端子部１３ａの両側に位置するようにシールド部１４ａを設ける。このシールド部１４ａは、モジュールコンタクト１２が取付けられている筐体側壁１１ｂに設けたモジュール固定部材１４のシールド部１４ａより、幅広に設けることができる。
【００３６】
尚、上記実施例ではソケット１をスルーホールに取り付け可能なスルーホール取り付け型として説明したが、電子回路基板ＰＷＢ表面に実装する表面取り付けタイプのものでもよく、ソケット１の取り付け形態等が限定されるものではない。
また、上記実施例では、カメラモジュールＣＭの対向する１対の側面に係止突起ＣＭ１を設け、これに合わせてソケット１の対向する１対の筐体側壁１１ｂに係止突起ＣＭ１と係止可能な係止部１４ｂを設けた場合を説明したが、４側面全てに係止突起ＣＭ１を設けたカメラモジュールＣＭの場合でも、係止突起ＣＭ１に合わせてソケット１の４側面全てに係止部１４ｂを設けてもよく、適宜選択すれば足りる。
【産業上の利用可能性】
【００３７】
この発明は、電子機器に用いるカメラモジュールを取付けるカメラモジュール用のソケットに利用可能である。
【図面の簡単な説明】
【００３８】
【図１】(ａ)この発明の実施例の全体を表す斜視組み立て説明図                (ｂ)この発明の実施例の全体を表す斜視説明図
【図２】この発明の実施例を表す正面説明図
【図３】この発明の実施例を表す右側面説明図
【図４】この発明の実施例を表す平面説明図
【図５】図４の中央部を縦方向に切断した状態を表す縦断面説明図
【図６】図４の中央部を横方向に切断した状態を表す縦断面説明図
【図７】図５の一部を拡大した説明図
【図８】従来例１を表す斜視説明図
【図９】従来例２を表す中央縦断面説明図
【符号の説明】
【００３９】
Ｅ        電子機器
Ｅ１      機器シールド部材
Ｂ１      筐体
ＰＷＢ    電子回路基板
ＰＷＢ１  取付接点部
ＧＮＤ    アース端子
ＴＨ      スルーホール
ＣＭ      カメラモジュール
ＣＭ１    係止突起
１  カメラモジュールソケット（ソケット）
１１  ソケットハウジング
１１ａ  上部開口
１１ｂ  筐体側壁
１１ｃ  コンタクト取付孔
１１ｄ  モジュール空間
１２  モジュールコンタクト
１２ａ  モジュール接触部
１２ｂ  中間部
１２ｃ  基板接続部
１３  シールド部材
１３ａ  アース端子部
１３ｂ  ケースシールド部
１３ｃ  シールド部材底面部
１３ｄ  フランジ部
１３ｅ  接触部
１４  モジュール固定部材
１４ａ  シールド部
１４ｂ  係止部
１４ｃ  ガイド部
１４ｄ  ハウジング固定部
１４ｅ  固定片
１４ｆ  連結部
１４ｇ  挿通孔
１４ｈ  押さえ部
１４ｉ  側縁係止部
【図１】
0004491008.tif 000002
【図２】
0004491008.tif 000003
【図３】
0004491008.tif 000004
【図４】
0004491008.tif 000005
【図５】
0004491008.tif 000006
【図６】
0004491008.tif 000007
【図７】
0004491008.tif 000008
【図８】
0004491008.tif 000009
【図９】
0004491008.tif 000010